(57)【要約】【課題】レンズとその光軸の位置を調整する機構を備えつつも、照明装置の大型化を抑制する。【解決手段】投影レンズ１５は、光源１７１から出射された光の少なくとも一部を通過させる。ハウジング１２は、光源１７１と投影レンズ１５を収容する灯室１４の一部を区画する。第二レール１９２は、ハウジング１２に設けられ、投影レンズ１５の光軸Ａ２と非平行な向きに延びる。光軸調整機構１８は、投影レンズ１５を第二レール１９２に沿って変位させる。【選択図】図６
2017191713.tif 000002
【特許請求の範囲】
【請求項１】
車両に搭載される照明装置であって、
光源と、
前記光源から出射された光の少なくとも一部を通過させるレンズと、
前記光源と前記レンズを収容する灯室の一部を区画するハウジングと、
前記ハウジングに設けられ、前記レンズの光軸と非平行な向きに延びるレールと、
前記レンズを前記レールに沿って変位させる光軸調整機構と、
を備えている、
照明装置。
【請求項２】
前記光軸調整機構は、
前記ハウジングを貫通して前記灯室内へ延びており、前記ハウジングの外側において回転操作可能なスクリューと、
前記スクリューの回転を、前記レールに沿う方向へ前記レンズを変位させる力に変換するジョイントと、
前記レンズと前記レールを連結し、前記レール上を摺動可能な連結部と、
を含んでいる、
請求項１に記載の照明装置。
【請求項３】
前記ジョイントと前記連結部の少なくとも一方と前記レンズは、樹脂製の一体成形品である、
請求項２に記載の照明装置。
【請求項４】
前記ハウジングと前記レールは、樹脂製の一体成形品である、
請求項１から３のいずれか一項に記載の照明装置。
【請求項５】
前記レールは、一対のレールを含んでおり、
前記レンズの光軸は、前記一対のレールの間に配置されている、
請求項１から４のいずれか一項に記載の照明装置。
【請求項６】
前記レールは、前記車両の上下方向に対応する向きに延びている、
請求項１から５のいずれか一項に記載の照明装置。
【発明の詳細な説明】
【技術分野】
【０００１】
本発明は、車両に搭載される照明装置に関する。
【背景技術】
【０００２】
特許文献１は、この種の照明装置の一例であるフォグランプを開示している。当該フォグランプは、ハウジングと透光カバーにより区画された灯室内に、光源とレンズを収容している。光源から出射された光は、レンズを通過することにより、車両前方に所定の配光パターンを形成する。
【０００３】
製品組立時における誤差や車両への組付け精度のばらつきに起因して、レンズの光軸の基準位置に所定の仕様からの誤差が生ずることがある。当該誤差に起因して所望の配光パターンが得られない事態を回避するため、誤差を解消するための調整機構が設けられている。
【０００４】
具体的には、上記のフォグランプは、スクリューとジョイントをさらに備えている。スクリューは、ハウジングを貫通して灯室内へ延びており、ハウジングの外側において回転操作可能である。ジョイントは、スクリューの回転を、レンズの光軸と交差する方向へレンズを変位させる力に変換する。スクリューの回転操作量に応じてレンズが変位し、誤差を解消するように光軸の位置が調節される。
【先行技術文献】
【特許文献】
【０００５】
【特許文献１】特表２０１５−５２２９２９号公報
【発明の概要】
【発明が解決しようとする課題】
【０００６】
本発明は、レンズとその光軸の位置を調整する機構を備えつつも、照明装置の大型化を抑制することを目的とする。
【課題を解決するための手段】
【０００７】
上記の目的を達成するために、本発明がとりうる一態様は、車両に搭載される照明装置であって、
光源と、
前記光源から出射された光の少なくとも一部を通過させるレンズと、
前記光源と前記レンズを収容する灯室の一部を区画するハウジングと、
前記ハウジングに設けられ、前記レンズの光軸と非平行な向きに延びるレールと、
前記レンズを前記レールに沿って変位させる光軸調整機構と、
を備えている。
【０００８】
特許文献１に記載された構成においては、レンズに回動軸が形成されており、当該回動軸がハウジングに支持されている。スクリューの回転動作は、ジョイントによってレンズの回動軸を中心とした回動動作に変換される。このような構成の場合、許容される光軸の変位量を大きくしようとすると、回動軸とスクリューの作用点の距離が大きくなることが避けられない。
【０００９】
他方、上記の構成によれば、レンズをハウジングに設けられたレールに沿って変位させるという簡易な手法でレンズの光軸を平行移動させる。そのため、光軸調整機構の作用点とレンズを近づけても、許容される光軸の変位量を大きく確保できる。したがって、レンズとその光軸の位置を調整する機構を備えつつも、特に光軸に沿う方向について、照明装置の大型化を抑制できる。
【００１０】
また、照明装置の仕様に応じて意匠が大きく変化するのはハウジングである。上記の構成は、このような仕様変更の影響を受けにくい。レンズを案内するレールはハウジングに設けられてはいるが、意匠の影響を受けにくい灯室内に配置されているからである。すなわち、上記の構成は、近年高まりつつある部品の標準化に対応しやすい。
【００１１】
上記の照明装置は、以下のように構成されうる。
前記光軸調整機構は、
前記ハウジングを貫通して前記灯室内へ延びており、前記ハウジングの外側において回転操作可能なスクリューと、
前記スクリューの回転を、前記レールに沿う方向へ前記レンズを変位させる力に変換するジョイントと、
前記レンズと前記レールを連結し、前記レール上を摺動可能な連結部と、
を含んでいる。
【００１２】
このような構成によれば、簡易かつ安価な機械的構成で、上述したレンズの光軸の平行移動を実現できる。電気的な構成を含まないため、実行される頻度が比較的低い光軸調整のために用意される構成のコストを抑制できるだけでなく、調整が行なわれる際には確実に機構を作動させることができる。
【００１３】
この場合、上記の照明装置は、以下のように構成されうる。
前記ジョイントと前記連結部の少なくとも一方と前記レンズは、樹脂製の一体成形品である。
【００１４】
このような構成によれば、部品点数と組立工数の削減により製造コストの上昇を抑制できる。
【００１５】
上記の照明装置は、以下のように構成されうる。
前記ハウジングと前記レールは、樹脂製の一体成形品である。
【００１６】
このような構成によれば、部品点数と組立工数の削減により製造コストの上昇を抑制できる。
【００１７】
上記の照明装置は、以下のように構成されうる。
前記レールは、一対のレールを含んでおり、
前記レンズの光軸は、前記一対のレールの間に配置されている。
【００１８】
このような構成によれば、一対のレールによりレンズの姿勢が安定的に保持された状態で、光軸調整機構によるレンズの光軸の平行移動を遂行できる。
【００１９】
上記の照明装置は、以下のように構成されうる。
前記レールは、前記車両の上下方向に対応する向きに延びている。
【００２０】
このような構成によれば、例えば車両の前部に搭載されるフォグランプに光軸調整機構を装備させつつ、大型化を抑制できる。
【図面の簡単な説明】
【００２１】
【図１】第一実施形態に係るフォグランプを示す斜視図である。
【図２】図１のフォグランプの一部を示す正面図である。
【図３】図１のフォグランプを示す斜視図である。
【図４】図１のフォグランプの一部を示す正面図である。
【図５】図１のフォグランプの一部を示す斜視図である。
【図６】図１のフォグランプの一部を示す断面図である。
【図７】図１のフォグランプの一部を示す斜視図である。
【図８】図１のフォグランプにおける投影レンズを示す斜視図である。
【図９】図１のフォグランプの一部を示す断面図である。
【図１０】図１のフォグランプの変形例を示す斜視図である。
【図１１】第二実施形態に係るフォグランプを示す斜視図である。
【図１２】図１１のフォグランプの一部を示す正面図である。
【図１３】図１１のフォグランプを示す斜視図である。
【図１４】図１１のフォグランプの一部を示す正面図である。
【図１５】図１１のフォグランプの一部を示す斜視図である。
【図１６】図１１のフォグランプの一部を示す断面図である。
【図１７】図１１のフォグランプの一部を示す斜視図である。
【図１８】図１１のフォグランプにおける投影レンズを示す斜視図である。
【図１９】図１１のフォグランプの一部を示す断面図である。
【発明を実施するための形態】
【００２２】
添付の図面を参照しつつ、本発明に係る実施形態の例について以下詳細に説明する。以下の説明に用いる各図面では、各部材を認識可能な大きさとするために縮尺を適宜変更している。
【００２３】
添付の図面において、矢印Ｆは、図示された構造の前方向を示している。矢印Ｂは、図示された構造の後方向を示している。矢印Ｕは、図示された構造の上方向を示している。矢印Ｄは、図示された構造の下方向を示している。矢印Ｒは、図示された構造の右方向を示している。矢印Ｌは、図示された構造の左方向を示している。以降の説明に用いる「右」および「左」は、運転席から見た左右の方向を示している。
【００２４】
図１は、第一実施形態に係るフォグランプ１１（照明装置の一例）を左前上方から見た外観を示す斜視図である。フォグランプ１１は、車両の前部に搭載される。フォグランプ１１は、ハウジング１２と透光カバー１３を備えている。
【００２５】
図２は、図１に示した状態から透光カバー１３を取り外したフォグランプ１１の外観を示す正面図である。透光カバー１３は、ハウジング１２に装着されて灯室１４を区画している。フォグランプ１１は、投影レンズ１５を備えている。投影レンズ１５は、灯室１４内に収容されている。
【００２６】
図３は、フォグランプ１１を左後下方から見た外観を示す斜視図である。フォグランプ１１は、放熱部材１６を備えている。放熱部材１６は、金属などの熱伝導性が比較的高い材料により成形されている。放熱部材１６は、背板１６ａと複数の放熱板１６ｂを備えている。背板１６ａは、ハウジング１２の後部に装着されて灯室１４の内側と外側を隔てている。複数の放熱板１６ｂは、背板１６ａの後面に設けられている。すなわち、複数の放熱板１６ｂは、灯室１４の外側に位置している。複数の放熱板１６ｂは、上下方向に延びている。
【００２７】
図４は、図２に示した状態から投影レンズ１５を取り外したフォグランプ１１の外観を示す正面図である。フォグランプ１１は、光源ユニット１７を備えている。
【００２８】
図５は、図４に示した状態からハウジング１２を取り外したフォグランプ１１を左前上方から見た外観を示す斜視図である。光源ユニット１７は、光源１７１、第一回路基板１７２、第二回路基板１７３、および接続ユニット１７４を備えている。
【００２９】
光源１７１は、所定の波長を含む光を出射する半導体発光素子である。半導体発光素子の例としては、発光ダイオード（ＬＥＤ）、レーザダイオード（ＬＤ）、有機ＥＬ素子などが挙げられる。光源１７１は、第一回路基板１７２に搭載されている。第一回路基板１７２は、表面に絶縁層が形成された金属基板である。
【００３０】
第一回路基板１７２は、光源１７１と電気的に接続された電気回路１７２ａを備えている（詳細な回路構造の図示は省略する）。第一回路基板１７２は、第一コネクタ１７２ｂを備えている。第一コネクタ１７２ｂは、電気回路１７２ａと電気的に接続されている。
【００３１】
第二回路基板１７３は、光源１７１の点消灯を含む動作を制御するための素子群を含む制御回路１７３ａを備えている（詳細な回路構造の図示は省略する）。第二回路基板１７３は、第二コネクタ１７３ｂを備えている。第二コネクタ１７３ｂは、制御回路１７３ａと電気的に接続されている。
【００３２】
接続ユニット１７４は、第三コネクタ１７４ａ、第四コネクタ１７４ｂ、および接続線１７４ｃを備えている。接続線１７４ｃは、第三コネクタ１７４ａと第四コネクタ１７４ｂを電気的に接続している。第三コネクタ１７４ａは、第一回路基板１７２の第一コネクタ１７２ｂに接続されている。第四コネクタ１７４ｂは、第二回路基板１７３の第二コネクタ１７３ｂに接続されている。結果として、光源１７１と制御回路１７３ａが電気的に接続されている。
【００３３】
図６は、図２における線Ｖ１−Ｖ１に沿うフォグランプ１１の断面を矢印方向から見た構成を示している。なお、透光カバー１３も図示に含まれている。
【００３４】
図３と図６に示されるように、フォグランプ１１は、給電コネクタ１７６を備えている。給電コネクタ１７６は、一対の導電性の給電端子１７３ｃと絶縁性のコネクタハウジング１７５によって形成されている。コネクタハウジング１７５は、放熱部材１６に形成された貫通穴１６ｃに装着されている。各給電端子１７３ｃの基端部は、第二回路基板１７３に固定され、制御回路１７３ａと電気的に接続されている。各給電端子１７３ｃの先端は、コネクタハウジング１７５内に配置されるとともに、フォグランプ１１の後方に露出している。
【００３５】
放熱部材１６は、支持テーブル１６ｄを備えている。支持テーブル１６ｄは、背板１６ａの前面より前方に突出している。すなわち、支持テーブル１６ｄは、灯室１４の内側に位置している。第一回路基板１７２は、ネジなどの締結部材によって支持テーブル１６ｄに固定される。
【００３６】
車両側から電力を供給するためのコネクタ（不図示）が、給電コネクタ１７６に接続される。供給された電力は、給電端子１７３ｃを通じて制御回路１７３ａに入力される。制御回路１７３ａは、所望の動作に応じた制御信号を出力する。ここで「制御信号」とは、光源１７１の動作状態を規定する電圧または電流の経時的変化を意味する。一時的に一定値をとり続けることもまた「経時的変化」の意味に含む。
【００３７】
出力された信号は、接続ユニット１７４を介して第一回路基板１７２の電気回路１７２ａに入力され、光源１７１に至る。光源１７１は、制御信号に応じた強度の光を出射する。光源１７１から出射された光の少なくとも一部は、投影レンズ１５を通過する。投影レンズ１５を通過した光は透光カバー１３を通過し、フォグランプ１１の前方を所定の配光パターンで照明する。
【００３８】
光源１７１の光出射動作に伴い生じる熱は、第一回路基板１７２を介して放熱部材１６に伝わり、放熱部材１６によって放散される。
【００３９】
製品組立時における誤差や車両への組付け精度のばらつきに起因して、投影レンズ１５の光軸Ａ１の基準位置に所定の仕様からの誤差が生ずることがある。当該誤差に起因して所望の配光パターンが得られない事態を回避するため、図６に示されるように、フォグランプ１１は、誤差を解消するための光軸調整機構１８を備えている。
【００４０】
図７は、図２に示した状態から放熱部材１６と光源ユニット１７を取り外したフォグランプ１１を左後方から見た外観を示す斜視図である。フォグランプ１１は、第一レール１９１と第二レール１９２を備えている。第一レール１９１は、灯室１４内において上下方向（レンズの光軸と非平行な向きの一例）に延びている。第一レール１９１は、ハウジング１２と一体に形成されている。すなわち、第一レール１９１の上端部と下端部は、ハウジング１２の内壁と一体とされている。第二レール１９２は、灯室１４内において上下方向（レンズの光軸と非平行な向きの一例）に延びている。第二レール１９２は、ハウジング１２と一体に形成されている。すなわち、第二レール１９２の上端部と下端部は、ハウジング１２の内壁と一体とされている。
【００４１】
光軸調整機構１８は、投影レンズ１５を第一レール１９１と第二レール１９２に沿って変位させる機構である。光軸調整機構１８は、スクリュー１８１、ジョイント１８２、第一連結部１８３、および第二連結部１８４を含んでいる。
【００４２】
図６に示されるように、スクリュー１８１は、スクリューヘッド１８１ａとスクリューシャフト１８１ｂを備えている。スクリュー１８１は、ハウジング１２を貫通して灯室１４内に延びている。スクリューヘッド１８１ａは、ハウジング１２の外側に配置されている。スクリューヘッド１８１ａは、所定の工具により回転操作可能とされている。図７に示されるように、スクリューシャフト１８１ｂは、ハウジング１２の内側、すなわち灯室１４内に配置されている。スクリューシャフト１８１ｂの外周面にはネジ溝が形成されている。
【００４３】
図８は、投影レンズ１５を左後上方から見た外観を示す斜視図である。ジョイント１８２は、投影レンズ１５の下部に設けられている。ジョイント１８２は、スクリュー１８１の回転を、第一レール１９１と第二レール１９２に沿う方向へ投影レンズ１５を変位させる力に変換するように構成されている。
【００４４】
具体的には、ジョイント１８２は、第一保持片１８２ａと第二保持片１８２ｂを備えている。第一保持片１８２ａと第二保持片１８２ｂは、投影レンズ１５の下部から後方へ向かって延びている。第二保持片１８２ｂの左側面にはネジ溝が形成されている。同様に、第一保持片１８２ａの右側面にはネジ溝が形成されている。
【００４５】
第一連結部１８３は、投影レンズ１５の左部に設けられている。第一連結部１８３は、第一摺動溝１８３ａと第一係止片１８３ｂを備えている。第一摺動溝１８３ａは上下方向に延びている。第一係止片１８３ｂは、第一連結部１８３の左端部に設けられている。
【００４６】
第二連結部１８４は、投影レンズ１５の右部に設けられている。第二連結部１８４は、第二摺動溝１８４ａと第二係止片１８４ｂを備えている。第二摺動溝１８４ａは上下方向に延びている。第二係止片１８４ｂは、第二連結部１８４の右端部に設けられている。
【００４７】
図９は、図２における線Ｈ１−Ｈ１に沿うフォグランプ１１の断面を矢印方向から見た構成を示している。ハウジング１２は、第一係止腕１２１と第二係止腕１２２を備えている。第一係止腕１２１は、ハウジング１２の左内壁に片持ち梁状に設けられている。第二係止腕１２２は、ハウジング１２の右内壁に片持ち梁状に設けられている。
【００４８】
投影レンズ１５が灯室１４の前方から装着されると、第一連結部１８３の第一係止片１８３ｂがハウジング１２の第一係止腕１２１を左方に撓ませ、第二連結部１８４の第二係止片１８４ｂがハウジング１２の第二係止腕１２２を右方に撓ませる。
【００４９】
投影レンズ１５が所定の位置に配置されると、第一係止腕１２１と第二係止腕１２２が元の位置に復帰し、第一係止片１８３ｂおよび第二係止片１８４ｂと係合する。これにより、投影レンズ１５の前方への変位が規制される。
【００５０】
他方、図７と図９に示されるように、第一連結部１８３の第一摺動溝１８３ａが第一レール１９１と嵌合し、第二連結部１８４の第二摺動溝１８４ａが第二レール１９２と嵌合する。すなわち、第一連結部１８３は投影レンズ１５と第一レール１９１を連結し、第二連結部１８４は投影レンズ１５と第二レール１９２を連結する。
【００５１】
さらに、図７から図９より明らかなように、スクリュー１８１のスクリューシャフト１８１ｂが、ジョイント１８２の第一保持片１８２ａと第二保持片１８２ｂにより挟持される。このとき、スクリューシャフト１８１ｂに形成されたネジ溝が、第一保持片１８２ａおよび第二保持片１８２ｂに形成されたネジ溝と嵌合する。
【００５２】
上記のように構成された光軸調整機構１８の動作について説明する。ハウジング１２の外側に配置されたスクリューヘッド１８１ａが所定の工具により回転操作されることにより、灯室１４内に配置されたスクリューシャフト１８１ｂが操作方向に回転する。スクリューシャフト１８１ｂの回転は、第一保持片１８２ａと第二保持片１８２ｂに形成されたネジ溝を介してジョイント１８２の上下方向の動きに変換される。ジョイント１８２の上下方向への変位に伴い、第一連結部１８３は第一レール１９１上を摺動し、第二連結部１８４は第二レール１９２上を摺動する。
【００５３】
したがって、スクリューヘッド１８１ａの回転操作に応じて投影レンズ１５の光軸Ａ１を上下方向へ平行移動させることができる。このような光軸の基準位置の調整は、フォグランプ１１の出荷前や保守点検時に行なわれる。
【００５４】
特許文献１に記載された構成においては、投影レンズに回動軸が形成されており、当該回動軸がハウジングに支持されている。スクリューの回転動作は、ジョイントによって投影レンズの回動軸を中心とした回動動作に変換される。このような構成の場合、許容される光軸の変位量を大きくしようとすると、回動軸とスクリューの作用点の距離が大きくなることが避けられない。
【００５５】
他方、本実施形態の構成によれば、投影レンズ１５をハウジング１２に設けられた第一レール１９１と第二レール１９２に沿って変位させるという簡易な手法で投影レンズ１５の光軸Ａ１を平行移動させる。そのため、光軸調整機構１８の作用点と投影レンズ１５を近づけても、許容される光軸Ａ１の変位量を大きく確保できる。したがって、投影レンズ１５と光軸調整機構１８を備えつつも、特に光軸Ａ１に沿う方向のフォグランプ１１の大型化を抑制できる。
【００５６】
一般に、フォグランプ１１の仕様に応じて意匠が大きく変化するのはハウジング１２である。図１０は、一変形例として、そのような意匠の異なるハウジング１２Ａを備えるフォグランプ１１Ａを示している。本実施形態の構成は、このような仕様変更の影響を受けにくい。投影レンズ１５を案内する第一レール１９１と第二レール１９２はハウジング１２に設けられてはいるが、意匠の影響を受けにくい灯室１４内に配置されているからであある。
【００５７】
実際、フォグランプ１１とフォグランプ１１Ａの相違点はハウジング１２とハウジング１２Ａの形状の相違点のみである（ハウジング１２Ａに結合される透光カバーの形状も当然に相違する）。フォグランプ１１Ａが備えている投影レンズ１５（同図においては不図示）放熱部材１６、光源ユニット１７、光軸調整機構１８（同図においては一部不図示）、第一レール１９１、第二レール１９２、第一係止腕１２１、および第二係止腕１２２は、フォグランプ１１を参照して説明したものと同一である。すなわち、本実施形態の構成は、近年高まりつつある部品の標準化に対応しやすい。
【００５８】
本実施形態においては、光軸調整機構１８は、スクリュー１８１、ジョイント１８２、第一連結部１８３、および第二連結部１８４を含んでいる。このような構成によれば、簡易かつ安価な機械的構成で、上述した投影レンズ１５の光軸Ａ１の平行移動を実現できる。電気的な構成を含まないため、実行される頻度が比較的低い光軸調整のために用意される構成のコストを抑制できるだけでなく、調整が行なわれる際には確実に機構を作動させることができる。
【００５９】
図８に示されるように、本実施形態においては、投影レンズ１５、ジョイント１８２、第一連結部１８３、および第二連結部１８４は、樹脂製の一体成型品である。
【００６０】
このような構成によれば、部品点数と組立工数の削減により製造コストの上昇を抑制できる。
【００６１】
図７に示されるように、本実施形態においては、ハウジング１２、第一レール１９１、および第二レール１９２は、樹脂製の一体成型品である。
【００６２】
このような構成によれば、部品点数と組立工数の削減により製造コストの上昇を抑制できる。
【００６３】
図９に示されるように、本実施形態においては、投影レンズ１５の光軸Ａ１は、第一レール１９１と第二レール１９２の間に配置されている。
【００６４】
このような構成によれば、第一レール１９１と第二レール１９２により投影レンズ１５の姿勢が安定的に保持された状態で、光軸調整機構１８による投影レンズ１５の光軸Ａ１の平行移動を遂行できる。
【００６５】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００６６】
第一実施形態においては、照明装置の一例としてフォグランプ１１を例示した。しかしながら、本発明は、車両に搭載されるように構成され、レンズと当該レンズの光軸を調整する機構を備える各種の照明装置に適用可能である。フォグランプ１１の前後方向、左右方向、および上下方向と車両の前後方向、左右方向、および上下方向はそれぞれ一致している。しかしながら、本発明が適用される照明装置によっては、当該照明装置の前後方向、左右方向、および上下方向と車両の前後方向、左右方向、および上下方向の少なくとも一つは一致しない。
【００６７】
すなわち、照明装置が搭載される車両の箇所によっては、第一レール１９１と第二レール１９２の延びる方向は、投影レンズ１５の光軸Ａ１と非平行な向きであれば、車両の左右方向あるいは前後方向でありうる。
【００６８】
また、本発明が適用される照明装置の種別によっては、投影レンズ１５を第一レール１９１と第二レール１９２に沿って変位させる光軸調整機構１８として、電動あるいは油圧駆動のアクチュエータが採用されうる。
【００６９】
第一実施形態においては、ジョイント１８２、第一連結部１８３、および第二連結部１８４は、投影レンズ１５と一体に成形されている。しかしながら、ジョイント１８２、第一連結部１８３、および第二連結部１８４の少なくとも一つは、投影レンズ１５とは別体の部品として提供されてもよい。
【００７０】
第一実施形態においては、第一レール１９１と第二レール１９２は、ハウジング１２と一体に成形されている。しかしながら、第一レール１９１と第二レール１９２の少なくとも一方は、別体の部品として提供され、適宜の方法によってハウジング１２に固定されてもよい。
【００７１】
第一実施形態においては、光軸調整機構１８による投影レンズ１５の変位を案内するために第一レール１９１と第二レール１９２が設けられている。しかしながら、投影レンズ１５の所望の変位を実現できるのであれば、設けられるレールの数は一本でもよいし、三本以上でもよい。
【００７２】
図１１は、第二実施形態に係るフォグランプ２１（照明装置の一例）を左前上方から見た外観を示す斜視図である。フォグランプ２１は、車両の前部に搭載される。フォグランプ２１は、ハウジング２２と透光カバー２３を備えている。
【００７３】
図１２は、図１１に示した状態から透光カバー２３を取り外したフォグランプ２１の外観を示す正面図である。透光カバー２３は、ハウジング２２に装着されて灯室２４を区画している。フォグランプ２１は、投影レンズ２５を備えている。投影レンズ２５は、灯室２４内に収容されている。
【００７４】
図１３は、フォグランプ２１を左後下方から見た外観を示す斜視図である。フォグランプ２１は、放熱部材２６を備えている。放熱部材２６は、金属などの熱伝導性が比較的高い材料により成形されている。放熱部材２６は、背板２６ａと複数の放熱板２６ｂを備えている。背板２６ａは、ハウジング２２の後部に装着されて灯室２４の内側と外側を隔てている。複数の放熱板２６ｂは、背板２６ａの後面に設けられている。すなわち、複数の放熱板２６ｂは、灯室２４の外側に位置している。複数の放熱板２６ｂは、上下方向に延びている。
【００７５】
図１４は、図１２に示した状態から投影レンズ２５を取り外したフォグランプ２１の外観を示す正面図である。フォグランプ２１は、光源ユニット２７を備えている。
【００７６】
図１５は、図１４に示した状態からハウジング２２を取り外したフォグランプ２１を左前下方から見た外観を示す斜視図である。光源ユニット２７は、光源２７１、第一回路基板２７２、および第二回路基板２７３を備えている。
【００７７】
光源２７１は、所定の波長を含む光を出射する半導体発光素子である。半導体発光素子の例としては、発光ダイオード（ＬＥＤ）、レーザダイオード（ＬＤ）、有機ＥＬ素子などが挙げられる。光源２７１は、第一回路基板２７２に搭載されている。第一回路基板２７２は、表面に絶縁層が形成された金属基板である。
【００７８】
第一回路基板２７２は、光源２７１と電気的に接続された電気回路２７２ａを備えている（詳細な回路構造の図示は省略する）。第一回路基板２７２は、第一コネクタ２７２ｂを備えている。第一コネクタ２７２ｂは、電気回路２７２ａと電気的に接続されている。
【００７９】
第二回路基板２７３は、光源２７１の点消灯を含む動作を制御するための素子群を含む制御回路２７３ａを備えている（詳細な回路構造の図示は省略する）。第二回路基板２７３は、第二コネクタ２７３ｂを備えている。第二コネクタ２７３ｂは、制御回路２７３ａと電気的に接続されている。
【００８０】
第一コネクタ２７２ｂと第二コネクタ２７３ｂは、不図示の接続ユニットにより電気的に接続される。接続ユニットは、第一コネクタ２７２ｂに接続されるコネクタと、第二コネクタ２７３ｂに接続されるコネクタと、両コネクタを電気的に接続する接続線を備えている。結果として、光源２７１と制御回路２７３ａが電気的に接続されている。
【００８１】
図１６は、図１２における線Ｖ２−Ｖ２に沿うフォグランプ２１の断面を矢印方向から見た構成を示している。なお、透光カバー２３も図示に含まれている。
【００８２】
放熱部材２６は、支持テーブル２６ｄを備えている。支持テーブル２６ｄは、背板２６ａの前面より前方に突出している。すなわち、支持テーブル２６ｄは、灯室２４の内側に位置している。
【００８３】
第一回路基板２７２は、ネジなどの締結部材によって支持テーブル２６ｄの前面に固定されている。第二回路基板２７３は、ネジなどの締結部材によって支持テーブル２６ｄの下面に固定されている。
【００８４】
車両側から電力を供給するためのコネクタ（不図示）が、ハウジング２２または放熱部材２６に設けられた給電コネクタ（不図示）に接続される。供給された電力は、制御回路２７３ａに入力される。制御回路２７３ａは、所望の動作に応じた制御信号を出力する。ここで「制御信号」とは、光源２７１の動作状態を規定する電圧または電流の経時的変化を意味する。一時的に一定値をとり続けることもまた「経時的変化」の意味に含む。
【００８５】
出力された信号は、接続ユニットを介して第一回路基板２７２の電気回路２７２ａに入力され、光源２７１に至る。光源２７１は、制御信号に応じた強度の光を出射する。光源２７１から出射された光の少なくとも一部は、投影レンズ２５を通過する。投影レンズ２５を通過した光は透光カバー２３を通過し、フォグランプ２１の前方を所定の配光パターンで照明する。
【００８６】
光源２７１の光出射動作に伴い生じる熱は、第一回路基板２７２を介して放熱部材２６に伝わり、放熱部材２６によって放散される。
【００８７】
製品組立時における誤差や車両への組付け精度のばらつきに起因して、投影レンズ２５の光軸Ａ２の基準位置に所定の仕様からの誤差が生ずることがある。当該誤差に起因して所望の配光パターンが得られない事態を回避するため、図１６に示されるように、フォグランプ２１は、誤差を解消するための光軸調整機構２８を備えている。
【００８８】
図１７は、図１２に示した状態から放熱部材２６と光源ユニット２７を取り外したフォグランプ２１を左後方から見た外観を示す斜視図である。フォグランプ２１は、第一レール２９１と第二レール２９２を備えている。第一レール２９１は、灯室２４内において上下方向（レンズの光軸と非平行な向きの一例）に延びている。第一レール２９１は、ハウジング２２と一体に形成されている。すなわち、第一レール２９１の上端部と下端部は、ハウジング２２の内壁と一体とされている。第二レール２９２は、灯室２４内において上下方向（レンズの光軸と非平行な向きの一例）に延びている。第二レール２９２は、ハウジング２２と一体に形成されている。すなわち、第二レール２９２の上端部と下端部は、ハウジング２２の内壁と一体とされている。
【００８９】
光軸調整機構２８は、投影レンズ２５を第一レール２９１と第二レール２９２に沿って変位させる機構である。光軸調整機構２８は、スクリュー２８１、ジョイント２８２、第一連結部２８３、および第二連結部２８４を含んでいる。
【００９０】
図１６に示されるように、スクリュー２８１は、スクリューヘッド２８１ａとスクリューシャフト２８１ｂを備えている。スクリュー２８１は、ハウジング２２を貫通して灯室２４内に延びている。スクリューヘッド２８１ａは、ハウジング２２の外側に配置されている。スクリューヘッド２８１ａは、所定の工具により回転操作可能とされている。図１７に示されるように、スクリューシャフト２８１ｂは、ハウジング２２の内側、すなわち灯室２４内に配置されている。スクリューシャフト２８１ｂの外周面にはネジ溝が形成されている。
【００９１】
図１８は、投影レンズ２５を左後下方から見た外観を示す斜視図である。ジョイント２８２は、投影レンズ２５の下部に設けられている。ジョイント２８２は、スクリュー２８１の回転を、第一レール２９１と第二レール２９２に沿う方向へ投影レンズ２５を変位させる力に変換するように構成されている。
【００９２】
具体的には、ジョイント２８２は、第一保持片２８２ａと第二保持片２８２ｂを備えている。第一保持片２８２ａと第二保持片２８２ｂは、投影レンズ２５の下部から後方へ向かって延びている。第二保持片２８２ｂの左側面にはネジ溝が形成されている。同様に、第一保持片２８２ａの右側面にはネジ溝が形成されている。
【００９３】
第一連結部２８３は、投影レンズ２５の左部に設けられている。第一連結部２８３は、第一摺動溝２８３ａと第一係止片２８３ｂを備えている。第一摺動溝２８３ａは上下方向に延びている。第一係止片２８３ｂは、第一連結部２８３の左端部に設けられている。
【００９４】
第二連結部２８４は、投影レンズ２５の右部に設けられている。第二連結部２８４は、第二摺動溝２８４ａと第二係止片２８４ｂを備えている。第二摺動溝２８４ａは上下方向に延びている。第二係止片２８４ｂは、第二連結部２８４の右端部に設けられている。
【００９５】
図１９は、図１２における線Ｈ２−Ｈ２に沿うフォグランプ２１の断面を矢印方向から見た構成を示している。ハウジング２２は、第一係止腕２２１と第二係止腕２２２を備えている。第一係止腕２２１は、ハウジング２２の左内壁に片持ち梁状に設けられている。第二係止腕２２２は、ハウジング２２の右内壁に片持ち梁状に設けられている。
【００９６】
投影レンズ２５が灯室２４の前方から装着されると、第一連結部２８３の第一係止片２８３ｂがハウジング２２の第一係止腕２２１を左方に撓ませ、第二連結部２８４の第二係止片２８４ｂがハウジング２２の第二係止腕２２２を右方に撓ませる。
【００９７】
投影レンズ２５が所定の位置に配置されると、第一係止腕２２１と第二係止腕２２２が元の位置に復帰し、第一係止片２８３ｂおよび第二係止片２８４ｂと係合する。これにより、投影レンズ２５の前方への変位が規制される。
【００９８】
他方、図１７と図１９に示されるように、第一連結部２８３の第一摺動溝２８３ａが第一レール２９１と嵌合し、第二連結部２８４の第二摺動溝２８４ａが第二レール２９２と嵌合する。すなわち、第一連結部２８３は投影レンズ２５と第一レール２９１を連結し、第二連結部２８４は投影レンズ２５と第二レール２９２を連結する。
【００９９】
さらに、図１７から図１９より明らかなように、スクリュー２８１のスクリューシャフト２８１ｂが、ジョイント２８２の第一保持片２８２ａと第二保持片２８２ｂにより挟持される。このとき、スクリューシャフト２８１ｂに形成されたネジ溝が、第一保持片２８２ａおよび第二保持片２８２ｂに形成されたネジ溝と嵌合する。
【０１００】
上記のように構成された光軸調整機構２８の動作について説明する。ハウジング２２の外側に配置されたスクリューヘッド２８１ａが所定の工具により回転操作されることにより、灯室２４内に配置されたスクリューシャフト２８１ｂが操作方向に回転する。スクリューシャフト２８１ｂの回転は、第一保持片２８２ａと第二保持片２８２ｂに形成されたネジ溝を介してジョイント２８２の上下方向の動きに変換される。ジョイント２８２の上下方向への変位に伴い、第一連結部２８３は第一レール２９１上を摺動し、第二連結部２８４は第二レール２９２上を摺動する。
【０１０１】
したがって、スクリューヘッド２８１ａの回転操作に応じて投影レンズ２５の光軸Ａ２を上下方向へ平行移動させることができる。このような光軸の基準位置の調整は、フォグランプ２１の出荷前や保守点検時に行なわれる。
【０１０２】
特許文献１に記載された構成においては、投影レンズに回動軸が形成されており、当該回動軸がハウジングに支持されている。スクリューの回転動作は、ジョイントによって投影レンズの回動軸を中心とした回動動作に変換される。このような構成の場合、許容される光軸の変位量を大きくしようとすると、回動軸とスクリューの作用点の距離が大きくなることが避けられない。
【０１０３】
他方、本実施形態の構成によれば、投影レンズ２５をハウジング２２に設けられた第一レール２９１と第二レール２９２に沿って変位させるという簡易な手法で投影レンズ２５の光軸Ａ２を平行移動させる。そのため、光軸調整機構２８の作用点と投影レンズ２５を近づけても、許容される光軸Ａ２の変位量を大きく確保できる。したがって、投影レンズ２５と光軸調整機構２８を備えつつも、特に光軸Ａ２に沿う方向のフォグランプ２１の大型化を抑制できる。
【０１０４】
本実施形態においては、光軸調整機構２８は、スクリュー２８１、ジョイント２８２、第一連結部２８３、および第二連結部２８４を含んでいる。このような構成によれば、簡易かつ安価な機械的構成で、上述した投影レンズ２５の光軸Ａ２の平行移動を実現できる。電気的な構成を含まないため、実行される頻度が比較的低い光軸調整のために用意される構成のコストを抑制できるだけでなく、調整が行なわれる際には確実に機構を作動させることができる。
【０１０５】
図１８に示されるように、本実施形態においては、投影レンズ２５、ジョイント２８２、第一連結部２８３、および第二連結部２８４は、樹脂製の一体成型品である。
【０１０６】
このような構成によれば、部品点数と組立工数の削減により製造コストの上昇を抑制できる。
【０１０７】
図１７に示されるように、本実施形態においては、ハウジング２２、第一レール２９１、および第二レール２９２は、樹脂製の一体成型品である。
【０１０８】
このような構成によれば、部品点数と組立工数の削減により製造コストの上昇を抑制できる。
【０１０９】
図１９に示されるように、本実施形態においては、投影レンズ２５の光軸Ａ２は、第一レール２９１と第二レール２９２の間に配置されている。
【０１１０】
このような構成によれば、第一レール２９１と第二レール２９２により投影レンズ２５の姿勢が安定的に保持された状態で、光軸調整機構２８による投影レンズ２５の光軸Ａ２の平行移動を遂行できる。
【０１１１】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【０１１２】
第二実施形態においては、照明装置の一例としてフォグランプ２１を例示した。しかしながら、本発明は、車両に搭載されるように構成され、レンズと当該レンズの光軸を調整する機構を備える各種の照明装置に適用可能である。フォグランプ２１の前後方向、左右方向、および上下方向と車両の前後方向、左右方向、および上下方向はそれぞれ一致している。しかしながら、本発明が適用される照明装置によっては、当該照明装置の前後方向、左右方向、および上下方向と車両の前後方向、左右方向、および上下方向の少なくとも一つは一致しない。
【０１１３】
すなわち、照明装置が搭載される車両の箇所によっては、第一レール２９１と第二レール２９２の延びる方向は、投影レンズ２５の光軸Ａ２と非平行な向きであれば、車両の左右方向あるいは前後方向でありうる。
【０１１４】
また、本発明が適用される照明装置の種別によっては、投影レンズ２５を第一レール２９１と第二レール２９２に沿って変位させる光軸調整機構２８として、電動あるいは油圧駆動のアクチュエータが採用されうる。
【０１１５】
第二実施形態においては、ジョイント２８２、第一連結部２８３、および第二連結部２８４は、投影レンズ２５と一体に成形されている。しかしながら、ジョイント２８２、第一連結部２８３、および第二連結部２８４の少なくとも一つは、投影レンズ２５とは別体の部品として提供されてもよい。
【０１１６】
第二実施形態においては、第一レール２９１と第二レール２９２は、ハウジング２２と一体に成形されている。しかしながら、第一レール２９１と第二レール２９２の少なくとも一方は、別体の部品として提供され、適宜の方法によってハウジング２２に固定されてもよい。
【０１１７】
第二実施形態においては、光軸調整機構２８による投影レンズ２５の変位を案内するために第一レール２９１と第二レール２９２が設けられている。しかしながら、投影レンズ１５の所望の変位を実現できるのであれば、設けられるレールの数は一本でもよいし、三本以上でもよい。
【符号の説明】
【０１１８】
１１、１１Ａ、２１：フォグランプ、１２、１２Ａ、２２：ハウジング、１４、２４：灯室、１５、２５：投影レンズ、１７１、２７１：光源、１８、２８：光軸調整機構、１８１、２８１：スクリュー、１８２、２８２：ジョイント、１８３、２８３：第一連結部、１８４、２８４：第二連結部、１９１、２９１：第一レール、１９２、２９２：第二レール、Ａ１、Ａ２：投影レンズの光軸
【図１】
2017191713.tif 000003
【図２】
2017191713.tif 000004
【図３】
2017191713.tif 000005
【図４】
2017191713.tif 000006
【図５】
2017191713.tif 000007
【図６】
2017191713.tif 000008
【図７】
2017191713.tif 000009
【図８】
2017191713.tif 000010
【図９】
2017191713.tif 000011
【図１０】
2017191713.tif 000012
【図１１】
2017191713.tif 000013
【図１２】
2017191713.tif 000014
【図１３】
2017191713.tif 000015
【図１４】
2017191713.tif 000016
【図１５】
2017191713.tif 000017
【図１６】
2017191713.tif 000018
【図１７】
2017191713.tif 000019
【図１８】
2017191713.tif 000020
【図１９】
2017191713.tif 000021